(57)【要約】【課題】  歯ブラシを用いての歯磨きだけでは、バイオフィルムなどの汚れの除去は非常に困難である。そこで歯科医師に頼ることが少なくて良く、ユーザー自身でケアして汚れを除去することが出来るようにする。【解決手段】  ポリエステル樹脂製の柄部１と、ナイロン製のブラシ１１が植毛された頭部１０とから成る歯ブラシの、頭部１０の背部にメラミンフォームの研磨部２が接着された、研磨部付きの歯ブラシである。普通の歯磨きではブラシ１１を用いるのであるが、歯の表面の汚れを落とす時には、メラミンフォームの研磨部２を用いて歯の表面を擦るようにする。このような掃除具を電動式のものとしても良い。【選択図】図１
2017217438.tif 000002
【特許請求の範囲】
【請求項１】
持ち手と口腔内を掃除する掃除部とから成る掃除具に、歯面に付着した汚れを落とすための研磨部を備えている、研磨部付きの口腔掃除具。
【請求項２】
持ち手と口腔内を掃除する掃除部とから成る掃除具であって、この掃除具の内部に電動式振動発生装置を備えると共に歯面に付着した汚れを落とすための研磨部を備えている、研磨部付きの口腔掃除具。
【請求項３】
前記掃除部が歯ブラシである、請求項１または請求項２に記載の研磨部付きの口腔掃除具。
【請求項４】
前記研磨部がメラミンフォームである、請求項１または請求項２に記載の研磨部付きの口腔掃除具。
【請求項５】
前記研磨部がシリコーンフォームである、請求項１または請求項２に記載の研磨部付きの口腔掃除具。
【発明の詳細な説明】
【技術分野】
【０００１】  この発明は、歯、歯肉、顎の内壁、舌等の表面に付着した汚れを除去するための、研磨部付きの口腔掃除具に関する。
【背景技術】
【０００２】  コーヒーや茶を喫することを続けていると、知らず知らずの内に歯が黄ばんで来ていることに気づかされる。特に喫煙では歯に頑固な汚れが付着して見た目が非常に悪いものとなる。また茶渋などの黄ばみやヤニなどの付着を放っておくと、バイオフィルムや歯垢等を生じて歯周病を招いてしまう危険がある。【０００３】  ユーザーは日々の歯磨きを念入りにして見たりもするのであるが、歯ブラシを用いての歯磨きだけでは黄ばみやヤニの除去は非常に困難である。ホワイトニング用のペースト剤を用いてみても顕著な効果を得るのは難しい。
【発明の概要】
【発明が解決しようとする課題】
【０００４】  そこでこの問題の専門医である歯科医師の治療を繰り返し受けるなどしなくてはならない。例えば歯科医師はブラスト法により重曹やアルミナ（酸化アルミニウム）などと言った歯面研掃剤を水や空気で歯の表面に吹き付けることで、歯の表面の汚れを除去する施術を行っている。しかしながら歯科医師の処置を受けるには時間とコストが高くつくと言う問題がある。【０００５】  従ってこのような問題を解決して、歯科医師に頼ることが少なくて良く、ユーザー自身でケアしても汚れを除去する優れた効果を得ることは出来ないだろうか、と言うのがこの発明の課題である。
【課題を解決するための手段】
【０００６】  上記課題の解決の先立ち当発明者は、例えば日々の歯磨きの際に併せて歯の表面に付着した汚れを除去することが出来るようなそうした歯ブラシがあれば、面倒もコストもより少なく効果を上げることが出来るのではないかと言う知見を得た。またそうすれば歯肉、顎の内壁、舌等のケアも可能になるのではないか。【０００７】  すなわち上記の課題は、持ち手と口腔内を掃除する掃除部とから成る掃除具に、歯面に付着した汚れを落とすための研磨部を備えている、研磨部付きの口腔掃除具とすることによって達成される。例えば歯ブラシの植毛部（掃除部）の背面に平面状の研磨部の層を設けるのである。すると従来通りに掃除部を以て歯磨きを行い、続けて研磨部を用いて歯の表面を擦るのである。一般的に歯の汚れ落としは、人目を気にするところからその必要が生じていることが多い。従って口を開いた時に見える前歯の汚れ落としが一番重要であるが、前歯は平面部分が広いのであるから、平面状の研磨部はここを研磨するのに最も適したものであると言うことが出来る。【０００８】  また上記課題は、持ち手と口腔内を掃除する掃除部とから成る掃除具であって、この掃除具の内部に電動式振動発生装置を備えると共に歯面に付着した汚れを落とすための研磨部を備えている、研磨部付きの口腔掃除具とすることにより達成される。電動式振動発生装置いわゆるバイブレータが発生する振動によって効率的な歯磨き等々が出来ると共に、研磨部についても上記振動により効果的な汚れ落としが可能になる。この際にやはり平面状の研磨部が前歯の平面部分に良くフィットする。【０００９】  さてこの発明の研磨部付きの口腔掃除具は、前記掃除部が歯ブラシであるものとすることが出来る。すなわち掃除部には歯ブラシ、歯周ポケットの掃除具や、持ち手付きの歯間ブラシや、舌苔落とし用の舌ブラシなどを用いることが可能であるが、歯面の研磨部を備えるのに好適なものとしてここでは特に歯ブラシを上げる。【００１０】  またこの発明の研磨部付きの口腔掃除具は、前記研磨部がメラミンフォームであるものとすることが出来る。メラミン樹脂の性質として固いこと脆いことが上げられる。このようなメラミン樹脂を発泡加工して得られるメラミンフォームの表面には微細な凹凸が形成されているため、この面で歯面を擦ることで微細な凹凸によって歯の表面に付着した頑固な汚れを研磨するような形で落とすことが出来るのである。やはり平面状とすることによって前歯の平面部分の掃除を効率的に行い得る。【００１１】  またこの発明の研磨部付きの口腔掃除具は、前記研磨部がシリコーンフォームであるものとすることが出来る。シリコーンフォームもメラミンフォームと同様の働きを現して、バイオフィルムや歯垢等の汚れを除去して美しい歯にすることが可能となる。
【発明の効果】
【００１２】  この発明によれば、持ち手と口腔内を掃除する掃除部とから成る掃除具の、前記掃除部に歯面に付着した汚れを落とすための研磨部を備えている、研磨部付きの口腔掃除具としたので、掃除部を以て口腔内の掃除特に歯磨きを行うのに併せて、研磨部を以て歯の表面の汚れを擦り落とすことが出来るようになった。従ってこの発明によれば、歯科医師に頼ることが少なく、ユーザー自身で歯のケアを行って簡単にその汚れを除去することが可能になる。
【図面の簡単な説明】
【００１３】
【図１】  実施例１を側面方向から見た説明図である。
【図２】  実施例１を背面方向から見た説明図である。
【図３】  実施例２を側面方向から見た説明図である。
【図４】  実施例３の断面を表す説明図である。
【図５】  実施例４を側面方向から見た説明図である。
【図６】  実施例４の回路構成を表す説明図である。
【発明を実施するための形態】
【実施例１】
【００１４】  図１及び図２によりこの実施例を説明する。このものはポリエステル樹脂製の柄部１と主としてナイロン製のブラシ１１が植毛された頭部１０とから成る歯ブラシの、頭部１０の背部にメラミンフォームの研磨部２が接着された、研磨部付きの歯ブラシである。柄部１は持ち手であり、頭部１０とここに植毛されたブラシ１１とは掃除部である。【００１５】  普通の歯磨きではブラシ１１を用いるのであるが、歯の表面の黄ばみやバイオフィルムや歯垢等を落とす時には、メラミンフォームの研磨部２を用いて歯の表面を擦るようにする。特に前歯の前面に対しては、塊であると共にその表面が平らかである研磨部２は良くフィットする。なお歯と歯の間の研磨には研磨部２の角を使うなどの工夫をする。【００１６】  この歯ブラシによれば、歯磨きと同時に歯の表面の黄ばみなどのケアが、この歯ブラシだけで行える。従来のように歯ブラシと研磨剤との使い分けをしなくて済むために、面倒がなくとても便利である。従って歯ブラシを使うことと歯の表面のケアとを習慣化することが容易である。これは老若男女すべての人にとって非常に重要なことである。
【実施例２】
【００１７】  図３を用いてこの実施例を説明する。このものはポリエステル樹脂製の柄部３と主としてナイロン製のブラシ３１が植毛された頭部３０とから成る歯ブラシの、柄部３の端部に収納室３２が設けられており、ここに研磨柄部４０に取り付けた研磨部４が装着される。この装着状態では研磨柄部４０は上記柄部３の一部分となり一体化する。柄部３は持ち手であり、頭部３０とここに植毛されたブラシ３１とは掃除部である。なお研磨柄部４０も持ち手であると言うことが出来る。【００１８】  ブラシ３１を用いた歯磨きの後に、研磨柄部４０を引いて柄部３から離脱させ、研磨柄部４０を摘まんでシリコーンフォームの研磨部４を以て、歯の表面や歯と歯の間を擦るようにする。塊のような研磨部４の先端部は斜めに平かにカットされており、この平面状の部位は前歯の前面に良くフィットし、先端部分は歯と歯の間に入り込むことが出来る。【００１９】  研磨部４を使い終えたならば、よく洗浄した後に、柄部３の上記収納室３２に装着すれば良い。なお上記研磨柄部４０をその端部側から収納室３２に挿着可能に構成することによって、柄部３を握って歯の表面を擦ることが出来るようになる。
【実施例３】
【００２０】  図４を用いてこの実施例を説明する。このものは持ち手としての柄部５と、掃除部となる頭部５０の軸周りに植毛したブラシ５１とから成り、頭部５０の先端部に装着溝５２が設けられており、ここに研磨部６が装着されている。【００２１】  この歯ブラシは柄部５を軸周りに回転させることで、ブラシ５１を回転させて歯磨きを行わせるものである。そして頭部５０の先端の研磨部６で歯の表面を擦るようにして歯の表面の黄ばみやバイオフィルムや歯垢等を落とすのである。
【実施例４】
【００２２】  さて図５及び図６によりこの実施例を説明する。このものはこの発明の掃除具の内部に電動式振動発生装置を備えることを特徴としている。すなわち乾電池８４から電力の供給を受ける制御回路８２が、電源スイッチ８３がＯＮ状態になると電動モータ８を駆動するように構成されており、電動モータ８の回転軸８０が回転すると、これに取り付けられている偏心錘８１が回転してブルブルと言う振動を発生する。【００２３】  持ち手としての柄部７の内部には、上述した電動モータ８や制御回路８２や乾電池８４が納められている。また掃除部となる頭部７０の一側にはブラシ７１が植毛されており、他側にはメラミンフォームの研磨部９が接着されている。従って上記電動モータ８が回転して偏心錘８１から振動が発せられると、この振動はブラシ７１や研磨部９を振動させるので、ユーザーは歯にブラシ７１や研磨部９を当てるだけで、この発明の目的が楽に達成されるのである。【００２４】  以上、この発明の４つの実施例を説明したが、この発明はこれ等の実施例にのみ限定されない。例えば歯面の研磨部の素材に何を用いるかは任意であり、また研磨部の掃除具への取り付け箇所や取り付け方法も自由に設計して良い。また上述した実施例では掃除部が歯ブラシの場合を説明して来たが、それ以外にも例えば歯周ポケットの掃除具や、持ち手付きの歯間ブラシや、舌苔落とし用の舌ブラシなどの場合がある。その何れにしてもこの発明によれば、口腔ケアに際して同じ掃除具で歯面に磨きを掛けることが出来る。【００２５】  またこの発明の口腔掃除具は電気式のものとすることが出来る。実施例４は電動モータ８の回転軸８０が回転すると、これに取り付けられている偏心錘８１が回転してブルブルと言う振動を発生する、電動式振動発生装置を備えていた。この振動はブラシ７１や研磨部９を振動させていた。この他にも超音波発生装置を備えたタイプのものや、歯ブラシなどの掃除部（または上記研磨部）が電動モータによって回転するタイプのものや、流水にキャビテーションを発生させつつ歯に噴射するタイプのものなども、この発明の権利範囲内にある。またこの発明の口腔掃除具は、医療用、家庭用、旅行用（携帯用）などとして提供し得る。
【産業上の利用可能性】
【００２６】  この発明は家畜用やペット用として構成することが可能である。
【符号の説明】
【００２７】  １    柄部          １０  頭部          １１  ブラシ
２    研磨部
３    柄部          ３０  頭部          ３１  ブラシ    ３２  収納室
４    研磨部        ４０  研磨柄部
５    柄部          ５０  頭部          ５１  ブラシ    ５２  装着溝
６    研磨部
７    柄部          ７０  頭部          ７１  ブラシ
８    電動モータ    ８０  回転軸        ８１  偏心錘
８２  制御回路      ８３  電源スイッチ  ８４  乾電池
９    研磨部
【図１】
2017217438.tif 000003
【図２】
2017217438.tif 000004
【図３】
2017217438.tif 000005
【図４】
2017217438.tif 000006
【図５】
2017217438.tif 000007
【図６】
2017217438.tif 000008